(57)【要約】  スタジアム（１０）内に、座席列（１１、１２、１３）を使用して、観客の列を段階的に上昇した高さに位置付けしており、また、座席列（１１、１２、１３）は逆方向への傾斜を有するため、各列が、一つ下の列よりも競技エリア（１４）と接近し、これにより、競技エリア（１４）上での活動への優れた視野を観客に提供する。座席の前部に沿って歩道（３７）が設けられ、また、観客が競技エリア（１４）を見ることを可能にしながら、観客を保護するために、歩道（３７）の付近に窓（３８）が設けられている。交差梁（３５）は、座席の列（３６）を支持し、歩道（３７）を提供し、さらに、支持フレーム構造の一部分である階段ユニット（３３、３４）の間に支持されている。
2005515335.tif 000002
【特許請求の範囲】
【請求項１】
座席列であって、視野範囲に関連して段階的に上昇した高さにおいて支持された観客用の複数の座席の列を含み、前記列の最下列が、該視野範囲から上方かつ水平方向に離間しており、これ以外の列の各々が、一つ下の列よりも、該視野範囲に接近している座席列。
【請求項２】
前記座席の列の前部に沿った歩道をさらに備え、観客が前記座席へ到達できるようにした、請求項１に記載の座席列。
【請求項３】
前記歩道付近の、および前記座席と前記視野範囲の間に窓をさらに備えることで、前記窓からの観客の移動を規制しながら、前記視野範囲を見ることを可能にした、請求項１に記載の座席列。
【請求項４】
前記窓が硬質で透明な材料から成る、請求項３に記載の座席列。
【請求項５】
前記窓が、前記視野範囲と着座している観客との間で音響を伝達するための開口部を提供するように支持されている、請求項４に記載の座席列。
【請求項６】
観客が前記歩道の端部に到達できるようにするための階段を含む、請求項２に記載の座席列。
【請求項７】
前記座席の列を支持するべく、水平関係において離間した複数の交差梁をさらに備えている、請求項１に記載の座席列。
【請求項８】
前記交差梁の各々が、歩道を画定するべく水平に延びた第１部分、前記第１部分の後端部から上方に延びた第２部分、前記座席の列を支持するべく、前記第２部分の上方端部から後方に延びた第３部分、さらに、前記座席の列の背部分を支持するべく、前記第３部分の後端部から上方に延びた第４部分を備える、請求項７に記載の座席列。
【請求項９】
前記交差梁から支持されている、観客が前記歩道を歩く際に使用するための手摺をさらに備えた、請求項８に記載の座席列。
【請求項１０】
前記観客の視野の上方制限が、前記交差梁の前記第１部分の前記後端部によって画定されており、前記交差梁の前記第２部分が後方および上方に角度付けされ、次に、前方および上方に角度付けることで、前記第３部分の側部を前方へ移動させ、これにより、前記視野の制限を回避しながら、観客が足を後方へ移動できるようになる、請求項８に記載の座席列。
【請求項１１】
複数の階段ユニットをさらに備え、前記階段ユニットが、水平関係において離間し、前記交差梁を支持するべく前記交差梁の端部に沿って上方へ延びている、請求項７に記載の座席列。
【請求項１２】
前記階段ユニットの各々が、前記座席の列に到達するための階段を提供するべく形成された下方部分と、前記下方部分よりも上に、離間した関係において設けられた上方部分と、前記下方部分と上方部分の対向する側を結合するためのウェブ部分とを備え、該ウェブ部分が前記交差梁と整列している、請求項１１に記載の座席列。
【請求項１３】
前記ウェブ部分上に支持された手摺をさらに備える、請求項１２に記載の座席列。
【請求項１４】
スタジアムであって、競技エリアと、該競技エリアから上方へ、さらに該競技エリアから離間して延びた下方座席列とを含んでおり、前記スタジアムがさらに、前記競技エリアに対して段階的に上昇する高さにおいて支持された、観客用の複数の座席の列を含む上方列を備え、前記座席の列の最下の列が、前記競技エリアから上方かつ水平方向に離間しており、これ以外の座席の列の各々が、一つ下の列よりも、前記競技エリアに接近しているスタジアム。
【請求項１５】
前記座席の列を支持し、観客が前記座席に到達するために使用する歩道を提供するための支持手段をさらに設けており、前記支持手段の下方側部が、観客による競技エリアの視野に上限を提供するために効果的であり、また、前記歩道の前方側部が、観客による前記競技エリアの該視野に下限を提供するために効果的であり、これにより、観客の目が前記競技エリアに向かって前方および後方へ移動すると、前記視野が拡大し、前記支持手段の水平および垂直間隔が、前記競技エリア上での活動、および前記競技エリア付近の範囲内での活動を見る際の観客の眼の前方移動と後方移動を最小化する、請求項１４に記載のスタジアム。
【請求項１６】
前記座席列を支持するための支持手段と、前記競技エリアおよび前記支持手段の下に配置された保護構造とをさらに備え、前記保護構造が、内部を通る水の流れに対して不浸透性であり、前記保護構造の下に付加された任意の液圧を前記支持手段へ伝播するために効果的である、請求項１４に記載のスタジアム。
【請求項１７】
前記上方座席列の上にドーム形状の屋根を備えている、請求項１４に記載のスタジアム。
【請求項１８】
前記屋根の下に、さらに３つの上方座席列が設けられており、前記追加の上方座席列の各々が、前記競技エリアに関連した段階的に高い高さにおいて支持された、観客用の複数の座席の列を備え、前記追加の各上方座席列の前記座席の列の最下列が、該競技エリアから上方および水平方向に離れて離間しており、また、これ以外の追加座席の列の各々が、一つ下の列よりも、前記競技エリアに接近しており、前記座席列のうち２列が前記スタジアムの側部になっている、請求項１７に定記載のスタジアム。
【請求項１９】
前記上方列の各々が、前記屋根によって支持され、また、前記屋根を支持している、請求項１８に記載のスタジアム。
【発明の詳細な説明】
【技術分野】
【０００１】
本発明は座席列に関する。該して、本発明の座席列は、観客の観戦を大幅に促進し、着座面積を増加し、高さと水平寸法を減少することができ、さらにこれ以外にも多くの利点を有する。また本発明の座席列は、特に、フットボール・スタジアムのようなスタジアム内で使用するために設計されているが、劇場、コンサートホールや、さらにバスケットボール、サッカー、ホッケー、陸上競技に使用されるスタジアムを含む様々な用途にも適合可能である。
【背景技術】
【０００２】
スタジアム、劇場、さらに、コンサートおよび他の用途に使用するホール、の座席列は、一般に、競技エリア、ステージ、およびこれ以外の観覧される範囲から傾斜しながら後方へ離間している。より高い座席列ほど傾斜度が大きい。特定の劇場では、上下に支持されたボックス内に座席が設けられている。
【発明の開示】
【発明が解決しようとする課題】
【０００３】
本発明は、シカゴベアーズ・チームのための新規のフットボール・スタジアムを設計するという特定の目的を以って発明されたが、しかし、結果的に、これ以外にも様々な用途に使用可能な座席構造を有する。
【０００４】
本発明の重要な態様は、関連する問題を認識したものである。シカゴベアーズの新規のスタジアムに好ましい場所はソルジャー・フィールドであるが、その理由は、シカゴの湖沿いに在り、また、この地でベアーズが何年間もプレイを続けてきたためである。ソルジャー・フィールドは、第一次大戦の兵士達の名誉を讃えるために１９２０年に建設され、特有のコロネード（柱廊）を備え、さらに、これ以外にもよく知られ、ランドマーク的な建築的特長を備えている。深刻な問題は、従来の設計が適切でないことである。座席列をさらに高くしようとすれば、コロネードを超え相当の高さにまで上方に向かって突出してしまうだけでなく、競技エリアから離れ、コロネードの上に浮かんだ状態となり、多くの人々が不愉快と感じる外観になってしまう。現在のソルジャー・フィールドの場所に、コロネードよりも上に突出したような状態で新規に建設されるスタジアムは、多くの人々から反対されるだろう。さらに、従来の設計の不適切な部分は、座席列を競技エリアから外方へ向かって傾斜させ、高さを上昇させなければならないために生じたものであると認識されている。
【課題を解決するための手段】
【０００５】
これらの問題を解決するために、最上列を逆方向に傾斜させて、これを、外端部から上方および競技エリアに向かう方向へ傾斜させるよう考慮された。この可能性を分析した結果、適切に設計すれば使用可能であることが分かった。特に、競技エリアを観るための適切な開口部を設けることにより、最下列以外の各列が一つ下の列よりも競技エリアに接近する状態で、段階的に上昇する高さに観客用の座席の列を支持することが可能である。さらに、これにより、観客は、特にフットボールの試合を観戦する場合において、優れた視点が得られることも分かった。
【０００６】
逆方向に傾斜する設計は、座席容量を増加し、全体高さおよび水平寸法を低減するためにも使用できる。さらに、特にソルジャー・フィールドの問題に伴い、提案された逆方向に傾斜した座席列が、競技エリアに向かい、コロネードから離れる地点において最高の高さを得るため、従来設計に伴う視覚的に浮遊してしまう問題が回避される。
【０００７】
本発明の重要な特徴は、座席の列の前部に沿って歩道を設け、歩道付近に窓を設け、階段を設け、さらに、低コストでの建設を促進しながら、高い強度と安全性を得るための構成要素の設計を行うことである。
【０００８】
交差梁を設けて座席の列を支持しており、この交差梁が、下方段画定部分と、上方部分と、結合ウェブ部分とを含む階段ユニット間に支持されている。窓は近接した交差梁の間に支持されている。階段ユニットのウェブ部分、および交差梁から手摺が支持されている。
【０００９】
２つのスタジアムの実施形態が開示されている。一方は開放型である。他方は、本発明による、包囲型の屋根を備えた構造が、逆方向に傾斜した座席列間に支持されているものである。
【００１０】
両方のスタジアムの実施形態では支持構造物を設けているが、この支持構造物は、競技エリアの下に配置され、全ての座席列を支持し、内部を流れる水の流れに対して不浸透性であり、保護構造物の下側部に付加される支持および液圧力を座席列に伝播する上で効率的である。これにより、競技エリアを雨押えよりも下に配置することが可能になる。
【００１１】
本発明は、添付の図面を参照した以下の詳細な記述によって完全に明白となるこれ以外の目的、特徴、利点を考慮するものである。
【発明を実施するための最良の形態】
【００１２】
参照符号１０は、本発明によるフットボール・スタジアムを総体的に指している。このスタジアム１０は、地上高さを最低化し、全体の水平寸法を減少し、着座面積を広げ、観客による観戦を促進するという目的を伴い設計されている。
【００１３】
図１に示すように、スタジアム１０は、フットボール・フィールド１４を包囲する３つの座席列１１、１２、１３を含んでいる。座席列１１、１２、１３は、従来型のものであり、つまり、高度が段階的に増加してゆき、各々の列が上方へ、また、フィールド１４の中心から離れる方向へ向かって傾斜している。最上の第４列目には、４個の逆方向に傾斜した「フライング列」座席構造物１５、１６、１７、１８が設けられている。構造１５、１６は２つの側部１９、２０に配置され、一方、構造１７、１８は２つの端部２１、２２に配置されている。座席構造物１５〜１８により、観客は浮上空間に位置することになり、競技エリア１４内で行われている活動に接近することになる。さらに、地上高さと、全体的な水平寸法を最小化しながら、容量が増加する。
【００１４】
図２は、座席構造物１５、１６の断面図と、座席１７の立面図である。これらの座席構造物の構造については、以降でより詳細に述べる。図２はさらに、競技エリア１４を地面の高さよりも相当に低くすることで、この方法を用いない場合に発生する問題を克服しながら、地上高さを最小化することを可能にする構造を示している。競技エリアが雨押えよりも低い場合、競技エリアの下、および座席列の下に液圧が生じてしまう。このような圧力は、深さが進むにつれて上昇し、また、相当に高いものとなる。
【００１５】
列１１〜１３は、図２の断面図中では頑丈な物体として示した構造物２４によって支持されているが、鋼鉄製の支持トラス、床、壁を設け、これにより、観客や競技者が移動するための通路、および、リフレッシュメント・スタンド、化粧室、楽屋のような施設を提供できることが理解されるだろう。側部１９、２０には、座席構造物１５、１６を支持し、一体構造として形成されている構造物２４によって支持される部分２５、２６が設けられている。部分２５、２６を頑丈な物体として示しているが、これに、トラス、および、座席構造１５、１６を支持するための、また、観客が該部分に接触するためのケーブルを含む他の要素を装備できることが理解されるだろう。端部２１、２２は、側部１９、２０の部分２５、２６と類似した部分を備えている。
【００１６】
例証した構造物では、保護構造物２８は、競技エリア１４よりも低い位置に設けられており、また、全ての座席列の重量を受けるべく構造物２４を支持するための外周部を具備している。保護構造物２８に、頑丈で不浸透性の上層部分を形成するか、またはこれによって被覆することで、水が保護構造物２８を上方に向かって流れることを防止し、液圧によって生じた任意の力を支持構造物２４へ伝播することが可能となる。空から競技エリア１４へと落下したあらゆる落下物は、図示にはない従来型の排水受けとポンプの手段によって、競技エリア１４直下の地面２９から取り除かれる。
【００１７】
保護構造物２８は、主に鋼鉄で形成できるが、少なくとも一部分をコンクリートで形成することも可能である。図に示すように下方向へ湾曲した形状で形成されていることにより、下方に面した弧が設けられ、この弧により、圧縮時に、その底面上にかかる液圧力が座席列支持構造物２８へと効率的に伝達されることが好ましい。座席列支持構造物２４は、液圧によって生じた力と対抗する重量を課し、またさらに、座席構造１５〜１８および最上列の部分１９〜２２の動作と振動を制限するバラストを提供するべく機能する。
【００１８】
構造物２８と、これにより支持されている全ての構造物との総重量は、構造物２８の底面に付加される可能性のある最大の効率上方液圧力よりも実質的に大きいことが好ましい。しかし、上方液圧力とさらに対抗するために、一連の引張パイル３０が保護構造物２８と結合しており、構造物２８の下に位置する地面３２に埋め込まれている。スタジアムの下に位置する地面３２から水を排除するために排水受け、配管、ポンプを設けて、液圧を低減することも可能である。
【００１９】
図３は、側部２０に配置した座席構造１６の一部分を上から見た等角図であるが、構造物２０の支持部２６の天井要素およびその接続部は示していない。図４は、図３の一部分を拡大した図である。側部１９、２０の座席構造１５、１６の各々には、トラス形状で、座席組立体の７個のグループを支持する８段の平行な階段ユニットが設けられている。端部２１、２２の座席構造１７、１８は、同様の構造をしているが、高さが減少し、それぞれには、座席組立体の５組を支持する５つの平行な階段を含んでいる。図３、図４に示した実施形態では、各々の階段ユニットは、１０インチ幅の段、７ 1/2インチの台を備えており、また、水平面に対して約３６．８７度の角度で上方に傾斜している。各々の座席組立体の長さは約５４フィートであり、各々の梁の幅は約５フィートであってよい。したがって、側部１９、２０の各々の総体的な長さは約４２５フィートであってよく、一方、端部２１，２２の各々の総体的な長さは約２４５フィートであってよい。ここで示している様々な寸法および数字データは例証的な例として提供されており、限定として解釈されるべきではないことが理解されるだろう。
【００２０】
図３は、端部階段ユニット３３と、端部階段ユニット３３と平行に離間した関係にある階段ユニット３４とを示している。図４の拡大図は、梁３２の上方部分、座席組立体の上方部分を示している。ユニット３３、３４は、１８本の交差する梁３５の対向する端部を支持し、一方、ユニット３４は、これに加えて、図３には図示していない隣の階段ユニットへと延びた１８本の交差するビーム３５の端部をも支持する。各々の交差梁３５が、３０個の観客用座席３６を支持しており、また、階段ユニットから座席へ行くための通路３７を提供している。各々の交差梁３５はさらに、窓３８の下方端部を支持している。最下の交差梁３５を除いて、各々の交差梁３３が、隣の下方交差梁から上方へ延びた窓３８の上方端部を支持し、さらに、観客が隣の下方交差梁の通路上で使用できる手摺３９を支持している。上方通路４０は、階段ユニットの上方端部間に延びており、また、最上に位置した窓３８の上方端部を支持する。さらに、上方壁４０は、最高部に位置した交差梁３５の通路３７上で観客が使用する手摺４１を支持している。
【００２１】
図３では、交差梁３５は、階段ユニット３３、３４に対して直角の角度で、競技エリア１４の縦軸に対して平行に示されている。しかしながら、実際には、交差梁３５を端部階段ユニット３３から階段ユニット３４へと後方に角度付けすることで、座席が競技エリア１４の地理的中心にさらに向くことができる。これは、端部ユニット３３に、ユニット３４に対して前方にオフセットしながら、同時に、両ユニットを相互に対して平行に、また、競技エリア１４に対して直交に維持することで達成できる。全ての座席が競技エリア１４の中心にさらに向く方法によって、このオフセットを他のユニット間にも実施することができる。
【００２２】
例証した階段ユニット３３、３４の各々は、フィレンデール・トラスの形状であり、つまり、上方部４２を備え、この上方部の各側部が、一連の縦方向に離間したウェブ部材４４によって、下方部４３の側部と接続している。下方部４３は、図示のような段階を提供するように構成されており、５段毎に、付近の交差梁の高さと同じ高さになるよう上昇している。各ウェブ部材４４は、観客が使用する手摺４５を支持することができる。さらに、ウェブ部材４４は座席３６と整列しており、競技エリア１４を見た場合に視界に入る障害物が最小になるようにされている。階段ユニット付近に着座した観客は、階段が視界に入りはするが、身体を下方へ、または左右どちらか一方へ傾けたり、あるいは立ち上がることで、競技エリアでの動作をほぼ全て見ることが可能である。図３、図４のいずれにおいても、端部階段ユニット３３の外壁を見ることはできないが、該ユニット３３には、視界を提供しながら観客を保護する窓が設けられている。
【００２３】
図５は、端部階段ユニット３３の方向を見た場合の、階段ユニット３３、３４の間に設けた上方壁４０および２本の上方交差梁３５の断面図である。この図中で、外壁４６を見ることができるが、この外壁４６には、ガラスを嵌めていない、またはガラスを嵌めた開口部４７が設けられている。この図では、さらに、端部階段ユニット３３の下方壁４３に形成された階段の場所を破線で示している。
【００２４】
図５に示すように、交差梁３５の各々は歩道３７を備えた水平部分４８、水平部分４８の後部から後方および上方へ延びた部分４９、部分４９から前方および上方へ延びた部分５０、部分５０の上方端部から後方へ延びた水平座席部分５１、さらに、座席部分５１の後端部から上方および後方へ延びた後部５２を含んでいる。図示のとおりに位置した部分４９、５０によって、他の観客が通路部分４８上にいる際に、着座した観客の足を後方へ動かすことが可能になる。部分４９の角度位置４９は、一段下の観客によって視界が妨害されないようなものになっている。
【００２５】
図示した梁３５の形状により、高い強度と硬性が得られると同時に、座席の設置が容易化し、通路を供給し、手摺と窓を支持する。座席の設置時に、座席３６のクッション５３、５４が座席と背部分５１、５２に固定される。各座席の両側にアーム部５５が設けられる。手摺３９を支持するために、ブラケット５６を、最下部の交差梁を除く全ての交差梁３５の座席部分５１の下側部に沿って、離間した関係において固定する。最上部の手摺４１を支持するために、ブラケット５７を、上方通路４０から同様に支持する。
【００２６】
全ての窓３８の下方端部が、下側部に設けられ、各々の交差梁３５の歩道部分４８の前方縁に近接した固定具５９の隙間内に支持されている。最上部の窓を除いて、窓３８の上方端部は、交差梁の部分５０の後側部に固定されたブラケット６０によって支持されている。上方窓の上方端部は、同様のブラケット６１によって、上方壁４０から支持されている。
【００２７】
例証したスタジアムの用途では、各々の観客が他の観客が出した音を聞くことができ、さらに、各々の観客が自分の声援を別の観客からの声援と共に聞くことができることが望ましい。窓３８は、ガラスであることが好ましく、さらに、不注意等から観客によって付加されるあらゆる力に耐え得る強化ガラスであることがより好ましい。ガラス窓を使用して音響伝播を提供するために、ブラケット６０、６１を、交差梁３５および上方壁４０に沿って、離間した関係で配置し、その間に相当量の空間を設けることが好ましい。さらに、近接した窓と窓の間にも空間を設けてもよい。例えば、各窓３８の幅を、２つの座席の幅よりも幾らか狭くし、音響伝播に十分な空間を設けてもよい。またさらに、窓３８は、視界を妨害せず、また、十分な強度以上の強度を有する細かいメッシュ状のステンレス鋼ワイヤで形成した金網の形状であってよいことを記述する。金網形状の窓を使用することで、音響伝播に関するあらゆる問題は回避されるが、金網を通って、液体が下に居る観客の上に滴ってしまうという潜在的な欠点が残る。しかし、例えば、液体をこぼす場合が殆ど無く、音響伝播が特に重要であるコンサートホール内の座席構造といった特定の用途においては、金網形状の窓が最適である。
【００２８】
各々の観客が競技エリア１４での動作を見ることができる角度が、考慮すべき重要項目である。図５において、参照符号６２は、破線６３、６４で示した視野角度同士の間で起こっているあらゆる動作を見ることができる、最上の高さよりも１つ低い座席に着座した観客の眼の典型的な通常位置を示している。眼の位置６２からは、線６３のものよりも小さい角度での視野が、通路部分４８の前方縁によって制限されている。線６４のものよりも大きな角度での視野が、通路部分の後方縁によって制限されている。しかし、観客は、前傾し、参照符号６６で示す眼の位置に合わせ、破線６７、６８で示す最小および最大の視野角度を得ることにより、遥かに広い視野を容易に確保することが可能である。
【００２９】
この例証において、通常位置６２からの角度範囲は６〜５２度である。前傾位置６６からの角度範囲は−７〜７６度である。この条件は、競技エリア１４がフットボール・フィールドである場合、つまり、階段ユニットの下方端部が、競技エリア１４の中心部から横方向に２５０フィート、縦方向に１０７フィートの位置にある際に、１６０フィートの標準幅を有する場合に分析されたものである。近くのサイドライン、遠方のサイドラインの各々から３５フィート上を見るために必要な角度範囲は、最下レベルでは１６〜３８度、最上レベルでは２９〜７０度である。したがって、最下レベルでは視界に問題は無い。最上レベルでは、近くのサイドラインから完全な３５フィートの範囲を見るために、角度を５２〜７０度に拡大するために要する程度だけ前方に傾斜することが必要である。近くのサイドラインを見るためには、この角度を５２〜６０度に拡大するだけでよい。必要に応じた前傾は問題ないはずである。この前傾は、競技エリアでの活動に合わせて自然かつ無意識に起こると予想される。
【００３０】
例証した構造では、階段ユニット３３、３４が３６．８７度の角度にある。角度を相当に縮小することで、全体高さを低減することが可能である。図６は、参照符号７０で示した実施形態を図示しており、この場合、角度が約２０度縮小されている。この実施形態では、２番目に低い交差梁に対する最下の交差梁の場合を除き、各々の交差梁３５の水平間隔と垂直間隔は、それぞれ５８インチ、２１インチである。破線７１で示すように、３つの７インチの階段が、或る高さから次に高い高さへ移動するために設けられているため、各レベルにおいて、相当な長さを備えた着座範囲が得られる。あるいは、構造物を第１実施形態のものと同一にし、窓の位置および寸法、ブラケット、および他の構成要素を適切に調整してもよい。
【００３１】
図６では、通常位置７２からの視野角度を線７３、７４で示している。また、前傾位置７６からの視野角度を線７７、７８で示す。図７は、競技エリアと近くのサイドライン範囲を見るために必要な視野角度の範囲を示す線図である。１８段階の高さが予想される。点７９で示す最上の高さにおいて、必要な視野角度の範囲は２６〜７１度である。点８０で示す最下の高においては、該範囲は１６〜３８度である。図６を参照すると、最上の高さにおいて、また、近いサイドライン範囲において見た場合に、線７４の角度を５２度から拡大して必須の７１度の角度を得るために、通常位置７２から前傾位置７６への適度な前方移動が必要である。最下の高さにおいて、また、遠方のサイドライン範囲において見た場合には、線７３の角度を１９度から縮小して、必須の１６度を得るために、適度な前傾移動が必要である。したがって、近くのサイドライン範囲において見る場合の、特に、最上の高さに居る場合、また、遠方のサイドライン範囲に置いてみる場合の、特に、最下の高さに居る場合に、前傾移動が必要ということになる。しかし、このような必須の移動は単純に適度なものである。
【００３２】
競技エリアよりも低い、また競技エリアから離れた位置では、遠方のサイドラインと、付近の範囲を見るために、より広い交差梁の水平空間が望ましい。しかし、ビューイング位置を上方および競技エリアに向かって移動する従い、遠方のサイドラインと、付近の範囲を見ることが徐々に重要でなくなるため、不利な影響を受けることなく、水平空間を減少することが可能になる。水平空間を、下方端部からの距離の関数として有利に縮小することができる。また、垂直空間のみ、あるいは水平空間と垂直空間の両方を変更して、類似の利点を得ることも可能である。しかし、垂直空間を変更する場合には、階段台の高さを、規準の必要事項を満たすように選択する注意が必要となる。
【００３３】
図８は、図２と類似の断面図であるが、側部１９、２０の支持構造物２５、２６の代わりにドーム形状の屋根構造８４と、関連する端部２１、２２の支持構造物とを利用したスタジアム８２を示している。座席構造物１５、１６の代わりに２つの側部座席８５、８６、端部座席構造物１７の代わりに端部座席構造物８７、さらに、端部座席構造物１８の代わりに、これ以外の端部座席構造物（図示せず）を利用している。スタジアム８２のこれらの座席構造物は、スタジアム１０の座席構造物と同様に構造されているが、スタジアム８２のものは傾斜が少ない。屋根構造の使用は、全天候条件での使用が可能であるという利点を備え、さらに、逆方向に傾斜した座席構造物と組み合わせた場合に、重要なさらなる利点が得られる。屋根８４は、座席構造物を支持し、スタジアム１０で使用した片持ち梁支持を回避することができる。同時に、座席構造物が屋根８４の支持を補助する。
【００３４】
本発明の新規概念の精神および範囲から逸脱しない限り、変更および応用を実施できることが理解されるだろう。
【図面の簡単な説明】
【００３５】
【図１】本発明に従って建設されたスタジアムの等角図である。
【図２】図１の線２−２に実質的に沿った断面図である。
【図３】図１、図２のスタジアムの座席構造の一部分を、上部から見た等角図であるが、特定の支持要素は示していない。
【図４】図３の一部分を拡大して示した図である。
【図５】図３に示した構造物の部分の断面図である。
【図６】図１〜図５に示したものとは別に使用可能な実施形態を示す。
【図７】図６および本発明の趣旨を説明するための、視野角度の範囲を示す線図である。
【図８】図２と類似した断面図であるが、屋根を備えた別の実施形態を示す。
【図１】
2005515335.tif 000003
【図２】
2005515335.tif 000004
【図３】
2005515335.tif 000005
【図４】
2005515335.tif 000006
【図５】
2005515335.tif 000007
【図６】
2005515335.tif 000008
【図７】
2005515335.tif 000009
【図８】
2005515335.tif 000010
【国際調査報告】
2005515335.tif 000011
2005515335.tif 000012